(57)【特許請求の範囲】
【請求項１】
アンテナと、該アンテナで受信された無線信号を処理する受信回路と、を含む無線通信機であって、
前記受信回路は、
前記無線信号を増幅する増幅器と、
周波数が一定の発振信号を出力する発振器と、
前記増幅器および発振器の各出力を入力してミキシングするミキサと、
前記ミキサ出力のゲインを調整するＡＧＣアンプと、を備え、
前記ＡＧＣアンプの出力に応じて前記増幅器への電源電圧の供給を実行および停止し、前記ミキサへの各入力の電圧を調整する入力電圧調整回路を有する無線通信機。
【請求項２】
請求項１に記載の無線通信機において、
前記発振器は、周波数が一定の信号を出力する電圧制御発振器と、前記電圧制御発振器の出力信号を増幅して前記発振信号として前記ミキサへ出力する局部増幅器とを備える、無線通信機。
【請求項３】
請求項１に記載の無線通信機において、
前記発振器は、周波数が一定の信号を出力する電圧制御発振器と、前記電圧制御発振器の出力信号を増幅して前記発振信号として前記ミキサへ出力する局部増幅器とを備え、
前記入力電圧調整回路は、前記ＡＧＣアンプの出力に応じて、前記増幅器および前記局部増幅器への電源電圧の供給を、個別に実行および停止する、無線通信機。
【請求項４】
請求項１から請求項３までのいずれか１項に記載の無線通信機において、
前記アンテナと前記受信回路とを接続させるか否か切り替えるスイッチを備え、
前記入力電圧制御回路は、前記ＡＧＣアンプの出力に応じて前記スイッチの動作を制御する無線通信機。
【請求項５】
請求項１に記載の無線通信機において、
前記アンテナと前記受信回路とを接続させるか否か切り替えるスイッチを備え、
前記入力電圧調整回路は、
前記ミキサへの各入力の電圧を調整する複数の手段と、
前記ＡＧＣアンプの出力電圧を検出する検出回路と、
前記検出回路が検出したＡＧＣアンプの出力電圧に応じて、前記スイッチおよび前記ミキサへの各入力の電圧を調整する複数の手段の動作状態を決定する判定部と、を有する無線通信機。
【請求項６】
請求項５に記載の無線通信機において、
前記入力電圧調整回路は、
複数のしきい値電圧を格納する記憶部を備え、
前記判定部は、前記検出回路が検出したＡＧＣアンプの出力電圧を前記記憶部に格納された複数のしきい値電圧と比較した結果に応じて前記スイッチおよび前記ミキサへの各入力の電圧を調整する複数の手段の動作状態を決定する、無線通信機。
【請求項７】
アンテナと、該アンテナで受信された無線信号を処理する受信回路と、を含む無線通信機で行われる入力電圧調整方法であって、
前記受信回路は、前記無線信号を増幅する増幅器と、周波数が一定の発振信号を出力する発振器と、前記増幅器および発振器の各出力を入力してミキシングするミキサと、前記ミキサ出力のゲインを調整するＡＧＣアンプと、を備えるものであり、
前記ＡＧＣアンプの出力電圧を検出し、検出した出力電圧に応じて、前記増幅器への電源電圧の供給を、実行および停止し、前記ミキサへの各入力の電圧を調整する、入力電圧調整方法。
【請求項８】
請求項７に記載の入力電圧調整方法において、
前記発振器は、周波数が一定の信号を出力する電圧制御発振器と、前記電圧制御発振器の出力信号を増幅して前記発振信号として前記ミキサへ出力する局部増幅器とを備えるものであり、
前記検出した出力電圧に応じて、前記局部増幅器への電源電圧の供給を、実行および停止する、入力電圧調整方法。
【請求項９】
請求項７に記載の入力電圧調整方法において、
前記発振器は、周波数が一定の信号を出力する電圧制御発振器と、前記電圧制御発振器の出力信号を増幅して前記発振信号として前記ミキサへ出力する局部増幅器とを備えるものであり、
前記検出した出力電圧に応じて、前記増幅器および前記局部増幅器への電源電圧の供給を、個別に実行および停止する、入力電圧調整方法。
【請求項１０】
請求項７から請求項９までのいずれか１項に記載の入力電圧調整方法において、
前記無線通信機は、前記アンテナと前記受信回路とを接続させるか否か切り替えるスイッチを備えるものであり、
前記検出した出力電圧に応じて、前記スイッチの動作を制御する、入力電圧調整方法。
【請求項１１】
請求項７に記載の入力電圧調整方法において、
前記無線通信機は、前記アンテナと前記受信回路とを接続させるか否か切り替えるスイッチと、前記ミキサへの各入力の電圧を調整する複数の手段と、を備えるものであり、
前記検出した出力電圧に応じて、前記スイッチおよび前記ミキサへの各入力の電圧を調整する複数の手段の動作状態を決定する、入力電圧調整方法。
【請求項１２】
請求項１１に記載の入力電圧調整方法において、
前記無線通信機は、複数のしきい値電圧を格納する記憶部を備えるものであり、
前記検出した出力電圧を前記記憶部に格納された複数のしきい値電圧と比較した結果に応じて前記スイッチおよび前記ミキサへの各入力の電圧を調整する複数の手段の動作状態を決定する、入力電圧調整方法。
【発明の詳細な説明】
【技術分野】
【０００１】
本発明は、ＡＧＣアンプの入力電圧を調整する無線通信機、および入力電圧調整方法に関する。
【背景技術】
【０００２】
携帯電話やＰＨＳ（Personal Handyphone System）に代表される無線通信機では、一般的に、アンテナを通じて入力された無線信号の振幅が変動している場合にゲインを調整して振幅が一定になるように補正するＡＧＣ（Automatic Gain Control）アンプが受信回路に設けられている。
【０００３】
ＡＧＣアンプが受信回路に設けられた無線通信機では、受信回路がアンテナからの入力信号を増幅する際に、入力信号電圧がＡＧＣアンプの最大許容入力電圧を超えないように、入力信号の大きさに応じて入力信号を減衰させることが行われる。減衰させるための具体的な構成としては、受信回路とアンテナとの接続を切り離し、リーク電流による電圧をＡＧＣアンプに入力させる構成が挙げられる。
【０００４】
図５は、受信回路の入力信号の振幅を制御する制御回路を備える無線通信機の構成の一例を示すブロック図である。
【０００５】
図５に示す無線通信機は、アンテナ１０と、送受信切り替えスイッチ２０と、受信回路３０と、復調回路４０と、送信回路５０と、変調回路６０と制御回路７０と、局部発振器８０と、局部発振器９０と、を含む。
【０００６】
アンテナ１０は、電波による無線信号を送受信するものである。
【０００７】
送受信切り替えスイッチ２０は、制御回路７０の制御に基づいて、アンテナ１０に対して受信回路３０または送信回路５０のいずれかを接続させる。
【０００８】
受信回路３０は、ローノイズアンプ３００と、ミキサ３１０と、帯域フィルタ３２０と、ＡＧＣアンプ３３０と、検出回路３４０と、ミキサ３５０と、アナログ・デジタル変換回路３６０とを有する。
【０００９】
復調回路４０は、アナログ・デジタル変換回路３６０から入力されたデジタル回路を復調する。送信回路５０は、変調回路６０から入力された信号を無線信号としてアンテナ１０より送信させる。変調回路６０は、アンテナ１０より発信される信号を生成して送信回路５０へ出力する。
【００１０】
図５に示す無線通信機では、送信動作を行う際、制御回路７０は、アンテナ１０と送信回路５０とが接続されるように送受信切り替えスイッチ２０を制御する。すると、変調回路６０で生成された信号が、送信回路５０およびアンテナ１０を通じて無線信号として送信される。
【００１１】
受信動作を行う際には、制御回路７０は、アンテナ１０と受信回路３０とが接続されるように送受信切り替えスイッチ２０を制御する。すると、アンテナ１０が受信した無線信号１００１が、ローノイズアンプ３００に入力される。
【００１２】
無線信号１００１は、ローノイズアンプ３００へ入力されると増幅されてミキサ３１０へ出力される。ローノイズアンプ３００の出力信号は、ミキサ３１０において、局部発振器８０からミキサ３１０へ入力される周波数が一定の発振信号と合成されて帯域フィルタ３２０へ出力される。ミキサ３１０の出力信号は、帯域フィルタ３２０において、予め設定された周波数帯域以外の周波数成分が取り除かれてＡＧＣアンプ３３０へ出力される。
【００１３】
帯域フィルタ３２０の出力信号は、ＡＧＣアンプ３３０において、振幅が一定となるように補正されてミキサ３５０へ出力される。すると、検出回路３４０が、ＡＧＣアンプ３３０の出力電圧を検出して、検出値を制御回路７０へ出力する。
【００１４】
制御回路７０は、検出回路３４０から入力された検出値が、予め定められたしきい値を超えているか否か判定する。このしきい値は、ＡＧＣアンプ３３０の入力信号電圧がＡＧＣアンプ３３０の最大許容入力電圧を超えないようにするために設定されたもので、最大許容入力電圧よりも低い電圧に対応付けて設定される。
【００１５】
検出値がしきい値を超えていない場合には、ＡＧＣアンプ３３０の出力信号は、ミキサ３５０において、局部発振器９０より入力される周波数が一定の発振信号と合成され、アナログ・デジタル変換回路３６０においてデジタル信号に変換されてから復調回路４０へ出力される。そして、復調回路４０において復調処理が行われる。
【００１６】
検出値がしきい値を超えている場合には、制御回路７０が、アンテナ１０と接続させる回路を受信回路３０から送信回路５０へ切り替えるように送受信切り替えスイッチ２０を制御する。このとき、アンテナ１０と受信回路３０とは完全に絶縁されるわけではなく、実際はリーク電流が受信回路３０に流れ、これにより、受信回路３０の入力信号が減衰される。
【００１７】
図５に示す無線通信機では、上記のように受信回路３０の入力信号の減衰が行われるが、制御回路７０によって受信回路３０とアンテナ１０との接続が切り離された後であっても、パルス状のノイズなどで減衰が不十分な場合には、ＡＧＣアンプ３３０の最大許容入力電圧を超える入力信号がＡＧＣアンプ３３０に入力される可能性がある。このとき、図５に示す無線通信機は、ＡＧＣアンプの入力信号を減衰させる手段を一つしか持たないため、入力信号を減衰できない。
【００１８】
そこで、そのような問題を解決するための無線通信機が提案されており、例えば特許文献１（特開平８−２２８１６５号公報）に開示されている。ここで、図６を参照しながら特許文献１に記載の無線通信機について説明する。
【００１９】
図６は、特許文献１に記載の無線通信機の構成を示すブロック図である。
【００２０】
特許文献１に記載の無線通信機は、図６に示すように、アンテナ回路５１と、制御スイッチ５２と、伝送回路５３と、伝送回路５４と、受信回路５５と、マイクロコンピュータ５６と、を含む。
【００２１】
アンテナ回路５１では、アンテナ５１１、コンデンサ５１２、およびコイル５１３が直列に接続されて接地されている。
【００２２】
制御スイッチ５２は、マイクロコンピュータ５６の制御に基づいて、伝送回路５３または伝送回路５４のどちらか一方に直流電流を供給するか、もしくは、いずれにも供給しないようにする。なお、制御スイッチ５２には、直流電源５２１および抵抗５２２が直列に接続されている。
【００２３】
伝送回路５３は、アンテナ回路５１で受信された無線信号を受信回路５５へ伝送する回路であり、ＰＩＮ（P-intrinsic-N）ダイオード５３１、可変抵抗器５３２、受信端５３３、コイル５３４、およびコンデンサ５３５で構成されている。
【００２４】
伝送回路５４は、無線通信機より発信する信号をアンテナ回路５１へ伝送する回路であり、ＰＩＮダイオード５４１、送信端５４２、コイル５４３、およびコンデンサ５４４で構成されている。
【００２５】
受信回路５５は、伝送回路５３より入力された信号を処理する回路であり、ＡＧＣアンプ５５１と、ＡＧＣアンプ５５１の出力電圧を検出するレベル検出回路５５２とを構成に含む。
【００２６】
マイクロコンピュータ５６は、レベル検出回路５５２の検出値に基づいて、制御スイッチ５２の動作、可変抵抗器５３２の動作、およびＡＧＣアンプ５５１の動作をそれぞれ制御する。
【００２７】
特許文献１に記載の無線通信機では、送信動作を行う際、マイクロコンピュータ５６は、伝送回路５４に直流電流が供給されるように制御スイッチ５２を制御する。すると、直流電源５２２から抵抗５２、コイル５４３を通じてＰＩＮダイオード５４１に順方向のバイアス電流が供給される。
【００２８】
ＰＩＮダイオード５４１は、順方向のバイアス電流が供給されるとオン状態（低インピーダンス状態）となる。これにより、送信端５４２に入力された信号が、コンデンサ５４４およびＰＩＮダイオード５４１を通じてアンテナ回路５１へ出力され、アンテナ５１１より無線信号として発信される。
【００２９】
受信動作を行う際には、マイクロコンピュータ５６は、伝送回路５３および伝送回路５４のいずれにも直流電流が供給されないように制御スイッチ５２を制御する。このとき、アンテナ回路５１と伝送回路５３とは完全に絶縁されるわけではなく、ＰＩＮダイオード５３１にリーク電流が流れる。これにより、受信回路５５には、アンテナ５１１が受信した無線信号が減衰された状態で入力される。
【００３０】
受信回路５５に信号が入力されると、ＡＧＣアンプ５５１が、その信号の振幅が一定となるように補正して出力する。すると、レベル検出回路５５２がＡＧＣアンプ５５１の出力電圧を検出し、検出値をマイクロコンピュータ５６へ出力する。
【００３１】
マイクロコンピュータ５６は、レベル検出回路５５２の検出値を予め定められた基準値と比較する。なお、この基準値は、入力信号電圧がＡＧＣアンプ５５１の最大許容入力電圧を超えないようにするために設定されたものである。
【００３２】
検出値が基準値よりも高い場合、マイクロコンピュータ５６は、ＡＧＣアンプ５５１のゲインが最小となるようにＡＧＣアンプ５５１を制御する。続いて、マイクロコンピュータ５６は、伝送回路５３に直流電流が供給されるように制御スイッチ５２を制御する。すると、直流電源５２２から抵抗５２、可変抵抗器５３２、コイル５３４を通じてＰＩＮダイオード５３１に順方向のバイアス電流が供給される。
【００３３】
ＰＩＮダイオード５３１は、ＰＩＮダイオード５４１と同様に、順方向のバイアス電流が供給されるとオン状態となる。これにより、アンテナ５１１が受信した無線信号が、ＰＩＮダイオード５３１、コンデンサ５３５を通じてＡＧＣアンプ５５１に入力される。
【００３４】
ＡＧＣアンプ５５１に信号が入力された後は、マイクロコンピュータ５６が、レベル検出回路５５２の検出値に基づいて、伝送回路５３から受信回路５５へ入力される信号がＡＧＣアンプ５５１の最大許容入力電圧を超えないように、可変抵抗器５３２の抵抗値を設定する。
【００３５】
特許文献１に記載の無線通信機では、可変抵抗器５３２の抵抗値が増加すると、ＰＩＮダイオード５３１のバイアス電流は減少する。ＰＩＮダイオード５３１は、バイアス電流が減少するとインピーダンスが増加する。このインピーダンスの増加によりＡＧＣアンプの入力信号（伝送回路５３から受信回路５５へ入力される信号）が減衰される。
【００３６】
特許文献１の無線通信機によれば、マイクロコンピュータ５６がＡＧＣアンプ５５１の出力電圧に応じて可変抵抗器の抵抗値を設定することにより、受信回路５５の入力信号電圧がＡＧＣアンプ５５１の最大許容入力電圧を超えないよう制御することが可能となる。これにより、ＡＧＣアンプの入力信号を減衰させる手段が新たに設けられたこととなり、受信回路の最大許容入力電圧をより高くすることが可能となる。
【特許文献１】特開平８−２２８１６５号公報
【発明の開示】
【発明が解決しようとする課題】
【００３７】
特許文献１に記載の無線通信機は、マイクロコンピュータが可変抵抗器の抵抗値を設定して受信回路の入力信号を減衰させている。そのため、特許文献１に記載の無線通信機には、マイクロコンピュータがレベル検出回路の検出値に応じて複数の異なる抵抗値を選択できる回路が必要となる。この回路を実際に作成しようとすると、数多くの電子部品を必要とする複雑な回路になることが考えられる。したがって、特許文献１に記載の無線通信機では、受信回路の最大許容入力電圧を高くするためには、複雑な回路が必要となる。
【００３８】
本発明は、受信回路の最大許容入力電圧を簡易に高くすることが可能な無線通信機、および該無線通信機で行われる入力電圧調整方法を実現する技術を提供することを目的とする。
【課題を解決するための手段】
【００３９】
上記目的を達成するための本発明による無線通信機は、
アンテナと、該アンテナで受信された無線信号を処理する受信回路と、を含む無線通信機であって、
前記受信回路は、
前記無線信号を増幅する増幅器と、
周波数が一定の発振信号を出力する発振器と、
前記増幅器および発振器の各出力を入力してミキシングするミキサと、
前記ミキサ出力のゲインを調整するＡＧＣアンプと、を備え、
前記ＡＧＣアンプの出力に応じて前記増幅器への電源電圧の供給を実行および停止し、前記ミキサへの各入力の電圧を調整する入力電圧調整回路を有する。
【００４０】
また、上記目的を達成するための本発明による入力電圧調整方法は、
アンテナと、該アンテナで受信された無線信号を処理する受信回路と、を含む無線通信機で行われる入力電圧調整方法であって、
前記受信回路は、前記無線信号を増幅する増幅器と、周波数が一定の発振信号を出力する発振器と、前記増幅器および発振器の各出力を入力してミキシングするミキサと、前記ミキサ出力のゲインを調整するＡＧＣアンプと、を備えるものであり、
前記ＡＧＣアンプの出力電圧を検出し、検出した出力電圧に応じて、前記増幅器への電源電圧の供給を、実行および停止し、前記ミキサへの各入力の電圧を調整する。
【発明の効果】
【００４１】
本発明では、入力電圧調整回路が、増幅器への電源電圧の供給を停止することをミキサへの各入力の電圧を調整する動作として行うと、増幅器のゲインが減少して、ミキサへの入力信号の一つである増幅器の出力信号が減衰する。すると、ＡＧＣアンプの入力信号であるミキサの出力信号も減衰することになる。増幅器を減衰器として用いることができるようになるため、受信回路の最大許容入力電圧を高くできる。
【００４２】
また、発振器が局部増幅器で増幅した信号を発振信号として出力する場合、入力電圧調整回路が、局部増幅器への電源電圧の供給を停止することをミキサへの各入力の電圧を調整する動作として行うと、局部増幅器のゲインが減少して、ミキサへの入力信号の一つである発振器の出力信号が減衰する。すると、ＡＧＣアンプの入力信号であるミキサの出力信号も減衰する。局部増幅器を減衰器として用いることができるようになるため、受信回路の最大許容入力電圧を高くできる。
【００４３】
上記の通り、電源電圧の供給を実行および停止するという動作が単純な回路を作成するだけでＡＧＣアンプの入力信号を減衰できる。これにより、受信回路の最大許容入力電圧を簡易に高くすることが可能となる。
【発明を実施するための最良の形態】
【００４４】
本実施形態の無線通信機について、図面を参照しながら説明する。
【００４５】
図１は、本実施形態の無線通信機の一実施形態の構成を示すブロック図である。
【００４６】
本実施形態の無線通信機は、図１に示すように、アンテナ１と、送受信切り替えスイッチ２と、受信回路３と、復調回路４と、送信回路５と、変調回路６と、制御回路７と、局部発振器８と、局部発振器９と、を有する。
【００４７】
アンテナ１は、電波による無線信号を送受信するものである。
【００４８】
送受信切り替えスイッチ２は、制御回路７の制御に基づいて、アンテナ１に対して受信回路３または送信回路５のいずれかを接続させる。
【００４９】
受信回路３は、図１に示すように、ＬＮＡ（Low Noise Amplifier）部３０と、ミキサ３１と、帯域フィルタ３２と、ＡＧＣアンプ３３と、検出回路３４と、ミキサ３５と、アナログ・デジタル変換回路３６と、を有する。
【００５０】
まず、ＬＮＡ部３０について説明する。
【００５１】
図２は、ＬＮＡ部３０の構成を示すブロック図である。
【００５２】
ＬＮＡ部３０は、図２に示すように、ローノイズアンプ３１１と、ＦＥＴ（Field effect transistor）３１２と、を有する。
【００５３】
ローノイズアンプ３１１は、アンテナを通じて入力された無線信号１０００を増幅してミキサ３１へ出力する。
【００５４】
ＦＥＴ３１２は、制御回路７の制御に基づいてオン動作およびオフ動作を行う。ＦＥＴ３１２がオンすると、電源６１からローノイズアンプ３１１へ電源電圧が供給される。反対にＦＥＴ３１２がオフすると、電源６１からローノイズアンプ３１１への電源電圧の供給が停止される。
【００５５】
ミキサ３１は、ローノイズ３１１の出力信号と局部発振器８の出力信号とを合成して、帯域フィルタ３２へ出力する。帯域フィルタ３２は、ミキサ３１の出力信号から、予め定められた周波数領域以外の周波数成分を取り除く。
【００５６】
ＡＧＣアンプ３３は、制御回路７の制御に基づいて、帯域フィルタ３２の出力信号の振幅が一定となるように補正する。
【００５７】
検出回路３４は、ＡＧＣアンプ３３の出力電圧を検出して、検出値を制御回路７へ出力する。
【００５８】
ミキサ３５は、ＡＧＣアンプ３３の出力信号と局部発振器９の出力信号とを合成してアナログ・デジタル変換回路３６へ出力する。アナログ・デジタル変換回路３６は、ミキサ３５の出力信号をデジタル信号に変換して復調回路４へ出力する。
【００５９】
復調回路４は、アナログ・デジタル変換回路３６から入力されたデジタル回路を復調する。送信回路５は、変調回路６から入力された信号を無線信号としてアンテナ１より送信させる。変調回路６は、アンテナ１より送信される信号を生成して送信回路５へ出力する。
【００６０】
制御回路７は、記憶部７１および判定部７２を有する。
【００６１】
記憶部７１には、しきい値Ｔ１が予め格納されている。しきい値Ｔ１は、ＡＧＣアンプ３３の入力信号電圧が、ＡＧＣアンプ３３の最大許容入力電圧を超えないようにするためのものであり、最大許容入力電圧よりも低い電圧に対応付けた値が設定されている。
【００６２】
判定部７２は、検出回路３４の検出値を、記憶部７１に格納されているしきい値Ｔ１と比較した結果に基づいて、送受信切り替えスイッチ２、ＬＮＡ部３０、局部発振器８、およびＡＧＣアンプ３３の動作を制御する。
【００６３】
図３は、局部発振器８の構成を示すブロック図である。
【００６４】
局部発振器８は、電圧制御発振器７１と、ローカルアンプ７２と、ＦＥＴ７３とを有する。
【００６５】
電圧制御発振器７１は、周波数が一定の発振信号を出力する。ローカルアンプ７２は、電圧制御発振器７１から入力される発振信号を増幅してミキサ３２へ出力する。
【００６６】
ＦＥＴ７３は、制御回路７の制御に基づいてオン動作およびオフ動作を行う。ＦＥＴ７３がオンすると、電源６２からローカルアンプ７２へ電源電圧が供給される。反対にＦＥＴ３７４がオフすると、電源６２からローカルアンプ７２への電源電圧の供給が停止される。以上で局部発振器８についての説明を終了する。
【００６７】
局部発振器９は、周波数が一定の発振信号をミキサ３５へ出力する。
【００６８】
次に、本実施形態の無線通信機において、制御回路がＡＧＣアンプの入力信号電圧を調整する動作について説明する。
【００６９】
なお、ここでは、送受信切り替えスイッチ２においてアンテナ１と受信回路３とが接続されていることとする。また、ＦＥＴ３１２およびＦＥＴ７３は、制御回路７によりオン状態にされていることとする。
【００７０】
図４は、本実施形態の無線通信機において、制御回路７がＡＧＣアンプ３３の入力信号電圧を調整する動作の手順を示すフローチャートである。
【００７１】
まず、ＡＧＣアンプ３３の出力電圧が検出回路３７に検出され、検出値が制御回路７へ入力される（ステップＳ１）。すると、判定部７２は、検出値が記憶部７１に格納されているしきい値Ｔ１を超えているか否か判定する（ステップＳ２）。
【００７２】
ステップＳ２の動作において、検出値がしきい値Ｔ１を超えている場合、判定部７２は、アンテナ１と受信回路３との接続を切り離すように送受信切り替えスイッチ２を制御する（ステップＳ３）。
【００７３】
ステップＳ２の動作において、検出値がしきい値Ｔ１を超えていない場合、判定部７２は、検出値に基づいてＡＧＣアンプ３３を制御する（ステップＳ４）。具体的には、判定部７２は、ＡＧＣアンプ３３のゲインを設定する。ステップＳ４の動作後は、ステップＳ１の動作に戻る。
【００７４】
ステップＳ３の動作後、検出回路３４の検出値が判定部７２に入力されると（ステップＳ５）、判定部７２は、検出値がしきい値Ｔ１を超えているか否か判定する（ステップＳ６）。
【００７５】
ステップＳ６の動作において、検出値がしきい値Ｔ１を超えている場合、判定部７２は、ＦＥＴ３１２へオフ信号を出力する（ステップＳ７）。このとき、ローノイズアンプ３１１のゲインが低下し、これにより、ＡＧＣアンプ３３の入力信号は減衰する。
【００７６】
ステップＳ６の動作において、検出値がしきい値Ｔ１を超えていない場合、判定部７２は、検出値がしきい値Ｔ２を下回っているか否か判定する（ステップＳ８）。しきい値Ｔ２は、ＡＧＣアンプ３３の入力信号電圧がＡＧＣアンプ３３の最小許容入力電圧を下回らないように設定されたものであり、ＡＧＣアンプ３３の最小許容入力電圧よりも高い電圧に対応付けた値が設定されている。なお、しきい値Ｔ２は、記憶部７１に格納されている。
【００７７】
ステップＳ８の動作において、検出値がしきい値Ｔ２を下回っている場合、判定部７２は、アンテナ１と送信回路５との接続を切り離し、アンテナ１と受信回路３とが接続されるように送受信切り替えスイッチ２を制御する（ステップＳ９）。これにより、ステップＳ３の動作で実施された減衰動作が解除されることとなる。
【００７８】
なお、ステップＳ９の動作後は、ステップＳ１の動作に戻る。
【００７９】
また、ステップＳ８の動作において、検出値がしきい値Ｔ２を下回っていない場合、ステップＳ５の動作に戻る。
【００８０】
ステップＳ７の動作後、検出回路３７の検出値が判定部７２に入力されると（ステップＳ１０）、判定部７２は、検出値がしきい値Ｔ１を超えているか否か判定する（ステップＳ１１）。
【００８１】
ステップＳ１１の動作において、検出値がしきい値Ｔ１を超えている場合、判定部７２は、ＦＥＴ７３へオフ信号を出力する（ステップＳ１２）。このとき、ローカルアンプ７２のゲインの低下にともない、ミキサ３２の出力信号が減衰することとなる。これにより、ＡＧＣアンプ３３の入力信号は減衰する。
【００８２】
ステップＳ１１の動作において、検出値がしきい値Ｔ１を超えていない場合、判定部７２は、検出値がしきい値Ｔ２を下回っているか否か判定する（ステップＳ１３）。
【００８３】
ステップＳ１３の動作において、検出値がしきい値Ｔ２を下回っている場合、判定部７２は、ＦＥＴ３１２へオン信号を出力する（ステップＳ１４）。これにより、ＦＥＴ３１２がオンし、ステップＳ７の動作で実施された減衰動作が解除されることとなる。
【００８４】
なお、ステップＳ１４の動作後は、ステップＳ５の動作に戻る。
【００８５】
また、ステップＳ１３の動作において、検出値がしきい値Ｔ２を下回っていない場合、ステップＳ１０の動作に戻る。
【００８６】
ステップＳ１２の動作後、検出回路３７の検出値が判定部７２に入力されると（ステップＳ１５）、判定部７２は、検出値がしきい値Ｔ２を上回っているか否か判定する（ステップＳ１６）。
【００８７】
ステップＳ１６の動作において、検出値がしきい値Ｔ２を下回っている場合、判定部７２は、ＦＥＴ７３へオン信号を出力する（ステップＳ１７）。これにより、ＦＥＴ７３がオンし、ステップＳ１２の動作で実施された減衰動作が解除されることとなる。
【００８８】
なお、ステップＳ１６の動作において、検出値がしきい値Ｔ２を下回っていない場合、ステップＳ１５の動作に戻る。
【００８９】
本実施形態では、制御回路７からＦＥＴ３１２へオフ信号が出力された場合には、ローノイズアンプ３１１への電源電圧の供給の停止によりローノイズアンプ３１１のゲインが低下する。これによりローノイズアンプ３１１の出力信号が減衰されるため、ＡＧＣアンプ３３の入力信号も減衰されることとなる。そのため、ローノイズアンプ３１１で減衰される分、受信回路３の最大許容入力電圧を高くできる。
【００９０】
また、本実施形態では、制御回路７からＦＥＴ７３へオフ信号が出力された場合には、入力信号とともにミキサ３２に入力されるローカルアンプ７２の出力信号が減衰する。すると、ミキサの出力信号が減衰されるため、ＡＧＣアンプ３３の入力信号も減衰されることとなる。そのため、ミキサ３２で減衰される分、受信回路３の最大許容入力電圧を高くできる。
【００９１】
本実施形態によれば、上記のいずれの場合においても、制御回路からＦＥＴへの信号の伝送路が必要なだけであり、ＡＧＣアンプ３３の入力信号を減衰させる新たな手段が複雑な回路構成とならない。これにより、受信回路３の最大許容入力電圧を簡易に高くできる。
【００９２】
なお、本実施形態では、判定部７２は、検出値がしきい値を超えた場合、送受信切り替えスイッチ２、ＦＥＴ３１２、ＦＥＴ７２の順に減衰動作を行うように決定している。しかしながら、本発明では、判定部７２が減衰動作を行わせる順番は、限定されるものではない。
【００９３】
例えば、複数のしきい値を予め記憶部７１に格納し、判定部７２は、検出回路３４の検出値を複数のしきい値と比較した結果に応じて、減衰手段である、送受信切り替えスイッチ２、ＦＥＴ３１２、ＦＥＴ７２の動作状態を決定することとしてもよい。この場合、送受信切り替えスイッチ２、ＦＥＴ３１２、ＦＥＴ７２を動作させるしきい値を異ならせることにより検出回路３４の検出値に応じて動作する減衰手段を異ならせることができ、減衰量を異なるものとすることができ、必要な減衰量とすることができる。そのため、ＡＧＣアンプ３４の入力信号を減衰することを効率よく実行できるようになる。
【００９４】
なお、本発明では、制御回路７と、検出回路３４と、ＦＥＴ３１２と、およびＦＥＴ７３とで構成される回路を、ミキサ３１への各入力の電圧を調整する入力電圧調整回路とすることにしてもよい。
【図面の簡単な説明】
【００９５】
【図１】本実施形態の無線通信機の一実施形態の構成を示すブロック図である。
【図２】本実施形態の無線通信機に設けられたＬＮＡ部の構成を示すブロック図である。
【図３】本実施形態の無線通信機に設けられた局部発振器の構成を示すブロック図である。
【図４】本実施形態の無線通信機に設けられた制御回路がＡＧＣアンプの入力信号電圧を調整する動作の手順を示すフローチャートである。
【図５】受信回路の入力信号の振幅を制御する制御回路を備える無線通信機の構成の一例を示すブロック図である。
【図６】特許文献１に記載の無線通信機の構成を示すブロック図である。
【符号の説明】
【００９６】
１、１０、５１１  アンテナ
２、２０  送受信切り替えスイッチ
３、３０、５５  受信回路
４、４０  復調回路
５、５０  送信回路
６、６０  変調回路
７、７０  制御回路
８  局部発振器
３０  ＬＮＡ部
３１、３１０、３５、３５０  ミキサ
３２、３２０  帯域フィルタ
３３、３３０、５５１  ＡＧＣアンプ
３４、３４０  検出回路
３６、３６０  アナログ・デジタル変換回路
５１  アンテナ回路
５２  制御スイッチ
５３、５４  伝送回路
５６  マイクロコンピュータ
６１、６２  電源
７１  電圧制御発振器
７２  ローカルアンプ
７３、３１２  ＦＥＴ
７４、３１３  ＯＲ回路
３００、３１１  ローノイズアンプ
５２１  直流電源
５３１、５４１  ＰＩＮダイオード
５３２  可変抵抗器
５５２  レベル検出回路
１０００、１００１  無線信号
【図１】
0005177857.tif 000002
【図２】
0005177857.tif 000003
【図３】
0005177857.tif 000004
【図４】
0005177857.tif 000005
【図５】
0005177857.tif 000006
【図６】
0005177857.tif 000007